(57)【要約】【課題】端子が適正位置から挿入軸を中心として回転した状態で誤挿入されることを防止すること。【解決手段】コネクタ組立体１０は、上下または左右非対称形状のボックス部１１０を収容するためのボックス部収容路２２１と、ボックス収容路の延在方向に対して直交して形成されたスロット２５０と、を有するハウジング２００と、スロットに挿入されて仮係止位置にある場合にボックス部１１０の挿通を可能とするボックス部用開口３１３を有するリテーナ３００と、を備え、ボックス部用開口３１３が、端子１００をボックス部用開口３１３からボックス部収容路２２１に挿通しようとした際に、端子１００が適正な位置から端子の挿入軸を中心として回転した状態のときに当該挿通を阻止する形状となっている。【選択図】図４
2019145275.tif 000002
【特許請求の範囲】
【請求項１】
相手方コンタクトを内部に受容するための、断面外形状が少なくとも一部分において上下または左右非対称形状のボックス部を有する端子と、
前記ボックス部を収容するためのボックス部収容路と、前記ボックス部収容路の延在方向に対して直交して形成されたスロットと、を有するハウジングと、
前記スロットに挿入され、前記スロット内の予め定められた位置にある場合に、前記ボックス部の挿通を可能とするボックス部用開口を有するリテーナと、を備え、
前記ボックス部用開口が、前記端子を前記リテーナの前記ボックス部用開口から前記ハウジングの前記ボックス部収容路に挿通しようとした際に、前記端子が適正な位置から前記端子の挿入軸を中心として回転した状態のときに当該挿通を阻止する形状となっているコネクタ組立体。
【請求項２】
前記リテーナの前記ボックス部用開口が、前記上下または左右非対称形状のボックス部の断面外形状に対応した形状であり、前記端子を前記リテーナの前記ボックス部用開口から前記ハウジングの前記ボックス部収容路に挿通しようとした際に、前記端子が適正な位置から前記端子の挿入軸を中心として回転した状態のときには、前記端子の前記ボックス部の断面外形状と前記ボックス部用開口の形状の不一致により、当該挿通が阻止される請求項１記載のコネクタ組立体。
【請求項３】
前記ボックス部を構成する一つの面に外側に向けて突出する突起が設けられるのに対し、当該突起が設けられた面に対向する面は平坦な形状とされ、
前記リテーナの前記ボックス部用開口は、当該ボックス部用開口の一方の側が前記突起を受容する凹形状であり、前記一方の側に対向する側は平坦面とされる請求項１または２に記載のコネクタ組立体。
【請求項４】
前記端子が、断面形状が前記ボックス部の断面形状よりも小さな移行部を前記端子の挿入方向後部に有し、
前記リテーナが、前記リテーナの挿入方向に直交する方向の大きさが前記ボックス部用開口の大きさよりも小さい、前記ボックス部用開口に連通する移行部用開口を有し、
前記リテーナが前記スロット内において、前記ボックス部用開口が前記ボックス部収容路と一直線上にある前記予め定められた位置にあり、かつ前記端子が挿入軸を中心として適正な姿勢にあるとき、前記端子を前記圧着部収容路から前記ボックス部用開口を経て前記ボックス用収容路に挿入可能であり、
前記リテーナが前記予め定められた位置から本係止位置に移動させられると、前記端子の前記移行部が前記移行部用開口に収容され、前記ボックス部が抜去できない状態とされる請求項１から３いずれかに記載のコネクタ組立体。
【請求項５】
前記ハウジングには、前記ボックス部収容路が前記リテーナの挿入方向に複数配設されており、
前記リテーナには、前記挿入方向に向かって、前記ボックス部用開口と前記移行部用開口が、前記ハウジングに形成された前記リテーナの挿入方向における前記ボックス部収容路の数と同数形成され、それぞれのボックス部用開口が、隣接する他の端子の移行部を受入れるための移行部用開口と連通している請求項４に記載のコネクタ組立体。
【発明の詳細な説明】
【技術分野】
【０００１】
本発明は、コネクタ組立体、特に、コネクタ組立体のハウジングに装着される端子の不正確な接続を防ぐための、あるいは回避するためのリテーナを備えたコネクタ組立体に関する。
【背景技術】
【０００２】
従来、導線が接続された端子をコネクタハウジングに装着する場合に、端子がコネクタハウジングに正しく装着していることを確証するとともに装着後にコネクタハウジングから脱落するのを防止することを目的として、リテーナをコネクタハウジングに組み込んだものが知られている。リテーナがコネクタハウジングに組み込まれ、仮係止位置にあるとき、コネクタハウジングに端子を挿入することが可能であり、端子がコネクタハウジングに完全に装着されたときに限り、リテーナは本係止位置に移動可能となる。そして、リテーナが本係止位置にあるとき、端子はコネクタハウジングから抜去することはできない構成となっている。
【０００３】
下記特許文献１には、コネクタハウジングに装着されるリテーナに、端子金具の被係止部に係止する係止突起を設け、係止突起の後方の根元側を切り立った垂直面とし、先端側をテーパ面としたコネクタが開示されている。このコネクタによれば、リテーナが仮係止位置にあって端子金具が正規に挿入される場合、端子金具の姿勢が振れていても、テーパ面に沿わせることで正しい姿勢に誘導されつつ挿入される。一方、リテーナが本係止位置に誤って押し込まれた状態で端子金具が挿入された場合には、垂直面が端子金具の前面や被係止部に当接するため、それ以上の押し込みが規制され、これにより端子金具の変形などが防止される。
【先行技術文献】
【特許文献】
【０００４】
【特許文献１】特開２００３−１９７３００号公報
【発明の概要】
【発明が解決しようとする課題】
【０００５】
しかしながら、上記特許文献１記載のコネクタにおいては、端子金具が正規の姿勢から上下逆さまに挿入されたり、あるいは挿入軸を中心に９０度回転した状態で挿入されたりした場合の端子金具の誤挿入を防止することについては開示されていない。
【０００６】
したがって、本発明は、端子が適正な位置から挿入軸を中心として回転した状態で誤挿入されることを防止することが可能なコネクタ組立体を提供することを目的とする。
【課題を解決するための手段】
【０００７】
本発明の第１の態様は、
相手方コンタクトを内部に受容するための、断面外形状が少なくとも一部分において上下または左右非対称形状のボックス部を有する端子と、
前記ボックス部を収容するためのボックス部収容路と、前記ボックス部収容路の延在方向に対して直交して形成されたスロットと、を有するハウジングと、
前記スロットに挿入され、前記スロット内の予め定められた位置にある場合に、前記ボックス部の挿通を可能とするボックス部用開口を有するリテーナと、を備え、
前記ボックス部用開口が、前記端子を前記リテーナの前記ボックス部用開口から前記ハウジングの前記ボックス部収容路に挿通しようとした際に、前記端子が適正な位置から前記端子の挿入軸を中心として回転した状態のときに当該挿通を阻止する形状となっているコネクタ組立体である。
【０００８】
また、本発明の第２の態様は、本発明の上記態様において、前記リテーナの前記ボックス部用開口が、前記上下または左右非対称形状のボックス部の断面外形状に対応した形状であり、前記端子を前記リテーナの前記ボックス部用開口から前記ハウジングの前記ボックス部収容路に挿通しようとした際に、前記端子が適正な位置から前記端子の挿入軸を中心として回転した状態のときには、前記端子の前記ボックス部の断面外形状と前記ボックス部用開口の形状の不一致により、当該挿通が阻止されることを特徴とする。
【０００９】
また、本発明の第３の態様は、本発明の上記態様において、前記ボックス部を構成する一つの面に外側に向けて突出する突起が設けられるのに対し、当該突起が設けられた面に対向する面は平坦な形状とされ、前記リテーナの前記ボックス部用開口は、当該ボックス部用開口の一方の側が前記突起を受容する凹形状であり、前記一方の側に対向する側は平坦面とされることを特徴とする。
【００１０】
また、本発明の第４の態様は、本発明の上記態様において、前記端子が、断面形状が前記ボックス部の断面形状よりも小さな移行部を前記端子の挿入方向後部に有し、前記リテーナが、前記リテーナの挿入方向に直交する方向の大きさが前記ボックス部用開口の大きさよりも小さい、前記ボックス部用開口に連通する移行部用開口を有し、前記リテーナが前記スロット内において、前記ボックス部用開口が前記ボックス部収容路と一直線上にある前記予め定められた位置にあり、かつ前記端子が挿入軸を中心として適正な姿勢にあるとき、前記端子を前記圧着部収容路から前記ボックス部用開口を経て前記ボックス用収容路に挿入可能であり、前記リテーナが前記予め定められた位置から本係止位置に移動させられると、前記端子の前記移行部が前記移行部用開口に収容され、前記ボックス部が抜去できない状態とされることを特徴とする。
【００１１】
また、本発明の第５の態様は、本発明の上記態様において、前記ハウジングには、前記ボックス部収容路が前記リテーナの挿入方向に複数配設されており、前記リテーナには、前記挿入方向に向かって、前記ボックス部用開口と前記移行部用開口が、前記ハウジングに形成された前記リテーナの挿入方向における前記ボックス部収容路の数と同数形成され、それぞれのボックス部用開口が、隣接する他の端子の移行部を受入れるための移行部用開口と連通していることを特徴とする。
【発明の効果】
【００１２】
上記本発明の第１の態様によれば、端子が挿入軸を中心として適正な位置から回転した状態でリテーナのボックス部用開口からハウジングのボックス部収容路へ挿入しようとする場合に、リテーナのボックス部用開口によってボックス部の挿通が阻止され、端子が挿入軸を中心として適正な位置から回転した状態での誤挿入を防止することが可能となる。
【００１３】
上記本発明の第２の態様によれば、端子が挿入軸を中心として適正な位置から回転した状態でリテーナのボックス部用開口からハウジングのボックス部収容路へ挿入しようとする場合に、リテーナのボックス部用開口の形状が端子のボックス部の形状と一致せず、ボックス部の挿通が阻止され、端子が挿入軸を中心として適正な位置から回転した状態での誤挿入を防止することが可能となる。
【００１４】
上記本発明の第３の態様によれば、端子が適正な向きから挿入軸を中心にして約１８０度逆さまにボックス部収容路に挿入される際に、ボックス部の突起と対向した平坦面部分がリテーナのボックス部用開口の凹形状の両側部分に当接し、端子のボックス部収容路への挿入が阻止される。
【００１５】
また、上記本発明の第４の態様によれば、端子のボックス部がハウジングのボックス部用開口に挿入され、リテーナが予め定められた位置（仮係止位置）から本係止位置に移動させられた場合に、端子のボックス部がリテーナの移行部用開口周囲の壁面に阻まれることによりボックス部を抜去できないようにすることが可能となる。
【００１６】
また、本発明の第５の態様によれば、ハウジング内に、リテーナ挿入方向に複数の端子を配列して収容することができるとともに、それぞれの端子が挿入軸を中心として適正な位置から回転した状態での誤挿入することを防止できる。また、誤挿入防止の構造をハウジングに形成する場合はハウジング形成のための金型が複雑になるが、リテーナに誤挿入防止のための構造を形成する場合は、ハウジングに同種の効果をもつ構造を形成する場合に比べて形成が容易となる。
【図面の簡単な説明】
【００１７】
【図１】本実施形態のコネクタ組立体１０の分解斜視図である。
【図２】図２（Ａ）は、本実施形態におけるコネクタ組立体１０の端子１００の斜視図、図２（Ｂ）は図２（Ａ）の端子１００の上面図、図２（Ｂ）は図２（Ａ）の端子１００の上面図、図２（Ｃ）は図２（Ａ）の端子１００を左側からみた場合の左側面図、図２（Ｄ）は図２（Ａ）の端子１００の底面図、図２（Ｅ）は図２（Ａ）の端子１００の正面図、図２（Ｆ）は、図２（Ｅ）におけるＦ−Ｆ線断面図である。
【図３】図３（Ａ）は、本実施形態のコネクタ組立体１０のハウジング２００の斜視図であり、図３（Ｂ）は、図３（Ａ）のハウジング２００をＸ−Ｚ平面において切断した場合の断面図であり、図３（Ｃ）は、図３（Ａ）のハウジング２００をＸ−Ｙ平面において切断した場合の断面図である。
【図４】図４（Ａ）は、本実施形態のコネクタ組立体１０のリテーナ３００の斜視図、図４（Ｂ）は、図４（Ａ）のリテーナ３００の正面図、図４（Ｃ）は、図４（Ａ）のリテーナ３００の後面図である。図４（Ｄ）は、図４（Ｂ）のＤ部分の拡大図、図４（Ｅ）は、図４（Ｂ）のＥ部分の拡大図である。
【図５】図５は、本実施形態のコネクタ組立体１０の防水シール４００の斜視図である。
【図６】図６（Ａ）は、本実施形態におけるコネクタ組立体１０の、リテーナ３００が仮係止位置にある場合の、図３（Ａ）におけるＹ−Ｚ平面で切断した断面図であり、図６（Ｂ）は、図６（Ａ）におけるＢ部分の部分拡大図であり、図６（Ｃ）は、本実施形態におけるコネクタ組立体１０の、リテーナ３００が仮係止位置にある場合の、正面図である。
【図７】図７（Ａ）は、本実施形態におけるコネクタ組立体１０の、リテーナ３００が仮係止位置にあり、端子１００を装着した際の、図３（Ａ）におけるＸ−Ｚ平面で切断した場合の断面図であり、図７（Ｂ）は、本実施形態におけるコネクタ組立体１０の、リテーナ３００が仮係止位置にあり、端子１００を装着した際の、図３（Ａ）におけるＸ−Ｙ平面で切断した場合の断面図である。
【図８】図８（Ａ）は、本実施形態におけるコネクタ組立体１０の、リテーナ３００が仮係止位置にあり、端子１００が上下逆さまに挿入された場合の、図３（Ａ）におけるＹ−Ｚ平面で切断した断面図であり、図８（Ｂ）は、図８（Ａ）におけるＢ部分の部分拡大図である。
【図９】図９（Ａ）は、リテーナ３００が本係止位置にあるときのコネクタ組立体１０の、図３（Ａ）のＸ−Ｚ平面における断面図であり、図９（Ｂ）は、リテーナ３００が本係止位置にあるときのコネクタ組立体１０の、図３（Ｂ）のＸ−Ｙ平面における断面図である。
【図１０】図１０（Ａ）は、ボックス部の形状およびリテーナのボックス部用開口の他の一例を示す図であり、図１０（Ｂ）は、図１０（Ａ）のボックス部を上下逆さまに挿入した場合の図である。図１０（Ｃ）は、ボックス部の形状およびリテーナのボックス部用開口の他の一例を示す図であり、図１０（Ｄ）は、図１０（Ｂ）のボックス部を左右逆さまに挿入した場合の図である。図１０（Ｅ）は、ボックス部の形状およびリテーナのボックス部用開口のさらに他の一例を示す図であり、図１０（Ｆ）は、図１０（Ｅ）のボックス部を左右逆さまに挿入した場合の図である。
【発明を実施するための形態】
【００１８】
以下、本実施形態のコネクタ組立体１０を、図面を参照して説明する。なお、以下に説明する実施形態は、本発明のコネクタ組立体１０の一例を説明するものであって、本発明をこのコネクタ組立体に限定するものではなく、特許請求の範囲に記載された他の形態のコネクタ組立体にも等しく適用されるべきものである。
【００１９】
図１は、コネクタ組立体１０の分解斜視図である。図１に示すように、コネクタ組立体１０は、端子１００、ハウジング２００、リテーナ３００、防水シール４００を備える。なお、以下の説明において、端子１００が延在する方向、つまり、端子１００をハウジング２００に挿入する方向を長さ方向Ｘと呼び、長さ方向Ｘに直交し、図１において紙面奥に向かう方向を幅方向Ｙと呼び、長さ方向Ｘおよび幅方向Ｙの両方に直交する方向を高さ方向Ｚと呼んで説明することとする。また、以下の説明においては、長さ方向Ｘの、端子１００をハウジング２００に挿入する向きと反対側から、つまりこのコネクタ組立体１０と接続される相手方コネクタの挿入方向から見た場合に（図１において紙面右側から見た場合に）、上側を上方向、下側を下方向、左側を左方向（図１の紙面手前方向）、右側（図１の紙面奥方向）を右方向とみなして説明する。
【００２０】
まず、端子１００について、図２を参照して説明する。なお、図２（Ａ）は、本実施形態におけるコネクタ組立体１０の端子１００の斜視図、図２（Ｂ）は図２（Ａ）の端子１００の上面図、図２（Ｃ）は図２（Ａ）の端子１００を左側からみた場合の左側面図、図２（Ｄ）は図２（Ａ）の端子１００の底面図、図２（Ｅ）は図２（Ａ）の端子１００の正面図、図２（Ｆ）は、図２（Ｅ）におけるＦ−Ｆ線断面図である。
【００２１】
端子１００は、一枚の金属平板を打ち抜いた後に折り曲げて形成される。端子１００は、相手方コネクタのコンタクト（図示せず）を内部に受容するための、断面外形状が少なくとも一部分において上下または左右非対称形状のボックス部１１０と、導線１８０を把持する圧着部１２０と、ボックス部１１０と圧着部１２０とを接続し、断面形状がボックス部１１０の断面形状よりも小さな移行部１３０と、を有する。なお、これら圧着部１２０および移行部１３０は、端子１００のボックス部１１０の挿入方向後部に形成される。
【００２２】
ボックス部１１０は、上板１１１、底板１１２、左側板１１３、右側板１１４を含み、これら上板１１１、底板１１２、左側板１１３、右側板１１４が、内部に相手方コネクタのコンタクトを収容するためのコンタクト挿入孔１１５を形成する筒状かつ箱型の形状をなしている。このボックス部１１０の、長さ方向Ｘ（または相手方コネクタのコンタクトをコンタクト挿入孔１１５に挿入する方向）に直交する平面における断面形状は、高さをＨboxとする略長方形である。さらに、ボックス部１１０を構成する一つの面に外側に向けて突出する突起が設けられる。なお、本実施形態においては、上板１１１の上面に上方に向けて突出する突起１１６が形成されている。対照的に、突起１１６が設けられた面に対向する面、本実施形態においては底板１１２の下面１１２ａは平坦な形状とされる。したがって、ボックス部１１０は、少なくとも突起１１６が形成された部位における断面外形状が、上下非対称形状となっている。ここで、底板１１２の下面１１２ａから突起１１６の先端までの高さをＨprotrusionとする。なお、突起を底板１１２に形成して上板１１１の上面を平坦形状としてもよいし、突起を左側板１１３か右側板１１４のいずれか一方に形成し、対向するもう一方の側板の外側の面を平坦形状としてもよい。
【００２３】
底板１１２の上面１１２ｂには、コンタクト挿入孔１１５内部において、後方かつ上方に向けて延びた接触片１１７が形成される。この接触片１１７は、相手方コネクタのコンタクトがコンタクト挿入孔１１５内に挿入された際に、相手方コネクタのコンタクトの下面に接触し、電気的な接続が可能となる。
【００２４】
圧着部１２０は、導線１８０の被覆部を把持する被覆把持部１２１と、導線１８０の導体部分を把持する導体把持部１２２を有する。なお、本実施形態においては、導線１８０の被覆の周囲には導線用防水シール１９０が取り付けられており、被覆把持部１２１はこの導線用防水シール１９０の周囲を包囲するように圧着されている。導体把持部１２２は、底板１２２ａと、そこから左右両側において上方に延びた把持片１２２ｂ、１２２ｃを備える。導線１８０の導体部分は、把持片１２２ｂ、１２２ｃを底板１２２ａに向けてかしめることにより、把持片１２２ｂ、１２２ｃと底板１２２ａとの間に圧着され、電気的な接続が形成される。
【００２５】
移行部１３０は、ボックス部１１０と圧着部１２０とを接続する。移行部１３０は、底板１１２（ボックス部１１０の底板１１２と一続きになっている）、底板１１２の左側から上方に立設した左側面１３２、底板１１２の右側から立設した右側面１３３を備える。移行部１３０の底板１１２は、さらに圧着部１２０の導体把持部１２２の底板１２２ａと一続きとなっている。また、移行部１３０の左側面１３２はボックス部１１０の左側板１１３と一続きであり、移行部１３０の右側面１３３はボックス部１１０の右側板１１４と一続きである。なお、移行部１３０の左側面１３２および右側面１３３の高さは、ボックス部１１０の左側板１１３および右側板１１４の高さよりも低い、Ｈtransitionとなるように形成される。これにより、移行部１３０の断面形状は、ボックス部１１０の断面形状よりも小さなもの（本実施形態においては、低背状）となる。また、ボックス部１１０の左側板１１３の、移行部１３０の左側面１３２と接続されていない後端部分、ボックス部１１０の右側板１１４の、移行部１３０の右側面１３３と接続されていない後端部分、およびボックス部１１０の上板１１１の後端部分は、後端面１１８を構成する。
【００２６】
次にハウジング２００について、図３を参照して説明する。図３（Ａ）は、本実施形態のコネクタ組立体１０のハウジング２００の斜視図であり、図３（Ｂ）は、図３（Ａ）のハウジング２００をＸ−Ｚ平面において切断した場合の断面図であり、図３（Ｃ）は、図３（Ａ）のハウジング２００をＸ−Ｙ平面において切断した場合の断面図である。図３（Ａ）〜図３（Ｃ）に示すように、ハウジング２００は、長さ方向Ｘに所定長さを有し、高さ方向Ｚおよび幅方向Ｙが比較的大きな直方体形状のベース２１０と、このベース２１０から長さ方向Ｘ前方に延びるコア２２０と、ベース２１０の外縁部分から長さ方向Ｘ前方に向かって、コア２２０の周囲を包囲するように延びる外殻２３０とを有する。外殻２３０は、外殻上面２３１、外殻底面２３２、外殻左側面２３３、外殻右側面２３４を含み、これらはベース２１０に直接接続されているのに対して、外殻２３０とコア２２０は、直接は接続されておらず、ベース２１０を介して接続されている。また、外殻２３０とコア２２０の間には、コア２２０を包囲するように、相手方コネクタ（図示せず）のハウジングを受け入れる相手方コネクタ挿入スロット２４０がベース２１０に達するまで形成され、外殻２３０とコア２２０を隔てている。
【００２７】
ハウジング２００のベース２１０、およびベース２１０に接続しているコア２２０の長さ方向Ｘにおける後部には、端子１００の圧着部１２０を収容するための圧着部収容路２１１が長さ方向Ｘに延在するように、後述するリテーナの挿入方向に複数形成される。この圧着部収容路２１１は、後述するボックス部収容路と同一直線状に形成される。なお、図３（Ａ）〜図３（Ｃ）においては、幅方向Ｙに３つ、高さ方向Ｚに２つ、合計６つの圧着部収容路２１１が形成されている。なお、これら圧着部収容路２１１の幅方向Ｙの数、高さ方向Ｚの数は、この例に限定されず、他の数であってもよい。それぞれの圧着部収容部２１１のＹ−Ｚ平面に平行な面における断面形状は、端子１００の圧着部１２０およびここに取り付けられた導体用防水シール１９０を受容可能な形状および大きさであり、本実施形態においては導体用防水シール１９０の外径よりもわずかに小さな円形である。ベース２１０のＸ方向後面は後端面２１２をなしており、圧着部収容路２１１が後端面２１２に達する部位は、端子１００を圧着部収容路２１１に挿入するための端子挿入開口２１３となっている。
【００２８】
コア２２０には、Ｘ方向における前部分において、圧着部収容路２１１と同一直線上に、端子１００のボックス部１１０を収容するための複数のボックス部収容路２２１が形成される。それぞれのボックス部収容路２２１のＹ−Ｚ平面に平行な面における断面形状は、端子１００のボックス部１１０を収容可能な形状であれば何れの形状であってもよいが、本実施形態においては、高さ方向Ｚの大きさが幅方向Ｙの大きさよりもわずかに大きい略長方形となっている。コア２２０の長さ方向Ｘの前面は前端面２２２となっている。ボックス部収容路２２１は、前端面２２２に達し、オス端子挿入開口２２３を形成する。このオス端子挿入開口２２３は、端子１００のボックス部１１０の、上板１１１、底板１１２、左側板１１３、右側板１１４によって囲まれる内部空間の大きさに略同一の大きさまた形状である。さらに、それぞれのボックス部収容路２２１には、ボックス部収容路２２１を形成する上板から当該ボックス部収容路２２１内前方に向けて突出した係止片２２９が設けられる。この係止片２２９は、端子１００のボックス部１１０がボックス部収容路２２１に完全に挿入された際に、ボックス部１１０の突起１１６に係止される。
【００２９】
リテーナ挿入スロット２５０は、ハウジング２００の外殻２３０の外殻左側面２３３の長さ方向Ｘの略中央部分に、高さ方向Ｚに長尺に形成される。リテーナ挿入スロット２５０は、圧着部収容路２１１およびボックス部収容路２２１の延在方向に対して垂直な方向、すなわち、本実施形態においては幅方向Ｙに向かって延び、外殻左側側面２３３側の相手側コネクタ挿入スロット２４０を貫通し、コア左面２２６、コア２２０内部の圧着部収容路２１１およびボックス部収容路２２１、およびコア右面２２７を貫通し、外殻右側側面２３４側の相手側コネクタ挿入スロット２４０に達し、上述のボックス部収容路２２１と圧着部収容路２１１とを隔てるように、ボックス部収容路２２１および圧着部収容路２１１の延在方向に対して直交するように形成されている。なお、図３（Ｂ）、図３（Ｃ）に示されるように、コア２２０のコア左面２２６とコア右面２２７はリテーナ挿入スロット２５０によって貫通されるのに対し、コア２２０のコア上面２２４とコア下面２２５はリテーナ挿入スロット２５０によって貫通されずベース２１０に達するまで一続きとなっている。なお、コア２２０において、内部の圧着部収容路２１１およびボックス部収容路２２１がリテーナ挿入スロット２５０によって貫通された部分は、後述するリテーナ３００の本体部を収容する本体受容部２２８を形成している。
【００３０】
さらに、コア上面２２４には、第１係止溝２２４ａ、第２係止溝２２４ｂが形成される。同様に、コア下面２２５には、第１係止溝２２５ａ、第２係止溝２２５ｂが形成される。第１係止溝２２４ａ、２２５ａは、本実施形態においては、リテーナ挿入スロット２５０が形成されている外殻左側側面２３３に近い側、つまりコア左面２２６に近い側に形成され、第２係止溝２２４ｂ、２２５ｂは、外殻左側側面２３３から遠い側、つまりコア右面２２７に近い側に形成される。
【００３１】
次に、図４を参照してリテーナ３００について説明する。図４（Ａ）は、本実施形態のコネクタ組立体１０のリテーナ３００の斜視図、図４（Ｂ）は、図４（Ａ）のリテーナ３００の正面図、図４（Ｃ）は、図４（Ａ）のリテーナ３００の後面図である。図４（Ｄ）は、図４（Ｂ）のＤ部分の拡大図、図４（Ｅ）は、図４（Ｂ）のＥ部分の拡大図である。
【００３２】
リテーナ３００は、上述のリテーナ挿入スロット２５０に挿入されて、後述する仮係止位置と本係止位置とをとる。リテーナ３００は、幅方向Ｙに長尺な本体部３１０、本体部３１０の幅方向Ｙの左側端部３１１の上端から上方に延び次いで幅方向Ｙ（右方向）に向けて延びる上部アーム３２０、および本体部３１０の幅方向Ｙの左側端部３１１の下端から下方に延び、次いで幅方向Ｙ（右方向）に向けて延びる下部アーム３３０を備える。上部アーム３２０はリテーナ３００がハウジング２００のリテーナ挿入スロット２５０に挿入され、本体部３１０がコア２２０の本体受容部２２８に挿入された際に、コア２２０のコア上面２２４と外殻２３０の外殻上面２３１の下面２３１ａとの間に位置する。また、下部アーム３３０は、リテーナ３００がリテーナ挿入スロット２５０に挿入され、本体部３１０がコア２２０の本体受容部２２８に挿入された際に、コア２２０のコア下面２２５と外殻２３０の外殻底面２３２の上面２３２ａとの間に位置する。
【００３３】
リテーナ３００の上部アーム３２０の上部アーム下面３２１には高さ方向Ｚの下方に向けて突出する上部係止突起３２２が設けられる。また、下部アーム３３０の下部アーム上面３３１には高さ方向Ｚの上方に向けて突出する下部係止突起３３２が設けられる。上部係止突起３２２は、コア上面２２４の第１係止溝２２４ａまたは第２係止溝２２４ｂのいずれかに係止される。一方、下部係止突起３３２は、コア下面２２５の第１係止溝２２５ａまたは第２係止溝２２５ｂのいずれかに係止される。
【００３４】
本体部３１０の幅方向Ｙの長さ（幅）は、本体部３１０がリテーナ挿入スロット２５０からハウジング２００のコア２２０の本体受容部２２８に挿入され、上部アーム３２０の上部係止突起３２２がコア上面２２４の第１係止溝２２４ａに係止され、下部アーム３３０の下部係止突起３３２がコア下面２２５の第１係止溝２２５ａに係止された「仮係止位置」のときに、本体部３１０の右側端部３１２とコア右面２２７とが略同一平面上に揃う長さとなるように形成される（図７（Ｂ）参照）。
【００３５】
本体部３１０の高さ方向Ｚの高さＨbodyは、コア下面２２５の上面２２５ｃからコア上面２２４の本体受容部２２８における下面２２４ｃまで間の距離Ｈcore（図３（Ｂ）参照）よりも、端子１００の移行部１３０の高さＨtransition（図２（Ｆ）参照）分だけ小さな高さとされる。つまり、Ｈcore≧Ｈbody＋Ｈtransitionとなる。
【００３６】
本体部３１０には、リテーナ３００がリテーナ挿入スロット２５０内の予め定められた位置（仮係止位置）にある場合に、端子１００のボックス部１１０の挿通を可能とするボックス部用開口３１３と、ボックス部用開口３１３に幅方向に連通した移行部用開口３１４がそれぞれ複数形成される。本実施形態においては、リテーナ３００の本体部３１０には、リテーナの挿入方向（幅方向Ｙ）に向かって、ボックス部用開口３１３と移行部用開口３１４が、上述したハウジング２００のベース２１０およびコア２２０に形成された、リテーナの挿入方向（幅方向Ｙ）におけるボックス部収容路２２１および圧着部収容路２１１の数と同数形成されており、それぞれのボックス部用開口３１３は隣接する他の端子１００の移行部１３０を受け入れるための移行部用開口と連通している。具体的には、コネクタ組立体１０に組み込まれる端子１００の、幅方向Ｙの数と同数、つまり３つのボックス部用開口３１３（３１３ａ、３１３ｂ、３１３ｃ）と３つの移行部用開口３１４（３１４ａ、３１３ｂ、３１３ｃ）が幅方向Ｙに沿って同一直線上に形成される。なお、それぞれのボックス部用開口３１３は、リテーナ３００の本体部３１０がリテーナ挿入スロット２５０からコア２２０の本体受容部２２８に挿入され、リテーナ３００が仮係止位置にあるとき、コア２２０のボックス部収容路２２１と長さ方向Ｘにおいて同一直線状となる位置に形成される。
【００３７】
一つの端子１００を受け入れるボックス部用開口３１３および移行部用開口部３１４は、幅方向Ｙに隣接する別の端子１００を受入れるボックス部用開口３１３および移行部用開口３１４に連通している。したがって、本実施形態においては、ボックス部用開口３１３ａは、この開口が受け入れるのと同じ端子のための移行部用開口３１４ａと連通しており、移行部用開口３１４ａは、隣接する別の端子１００を受入れるボックス部用開口３１３ｂに連通しており、ボックス部用開口３１３ｂはこれと同じ端子１００を受け入れる移行部用開口３１４ｂに連通し、この移行部用開口３１４ｂは、隣接するさらに別の端子１００を受入れるボックス部用開口３１３ｃに連通しており、このボックス部用開口３１３ｃはこれと同じ端子１００を受け入れる移行部用開口３１４ｃに連通している。
【００３８】
それぞれのボックス部用開口３１３は、端子１００をリテーナ３００のボックス部用開口３１３からハウジング２００のボックス部収容路２２１に挿通しようとした際に、端子１００が適正な位置から端子１００の挿入軸（長さ方向Ｘ）を中心として回転した状態のときに当該挿通を阻止する形状となっている。例えば、ボックス部用開口３１３の形状は、上下非対称形状のボックス部１１０の断面外形状に対応した形状（または左右非対称形状のボックスの断面外形状に対応した形状）となっている。すなわち本実施形態においては、ボックス部用開口３１３の高さは、端子１００のボックス部１１０の高さＨboxと同じかわずかに大きい高さＨopeningである略長方形であって、その底辺３１３Ｌが平坦形状であるのに対し、上辺３１３Ｔがその中央部に上方に向かって凹んだくぼみ３１３Ｘを有する形状となっている。底辺３１３Ｌから上辺のくぼみ３１３Ｘまでの高さＨmaxは、端子１００のボックス部１１０の、突起１１６が形成されている部位の高さＨprotrusionと略同じかわずかに大きい高さとされる。
【００３９】
また、それぞれの移行部用開口３１４の、リテーナ３００の挿入方向（幅方向Ｙ）に直交する方向の大きさ（高さ方向Ｚの大きさ）が、ボックス部用開口３１３の大きさよりも小さく形成されている。具体的には、移行部用開口３１４の高さＨminは、端子１００のボックス部１１０の高さＨboxよりも小さく、端子１００の移行部１３０の高さＨtransitionより大きな高さとされる。
【００４０】
さらに、リテーナ３００の本体部３１０の下面３１６には、上述したボックス部用開口３１３ａ〜３１３ｃと、幅方向Ｙにおいて同一位置となる位置に、ボックス部用凹部３１７ａ〜３１７ｃ（以下、まとめてボックス部用凹部３１７という）が形成される。それぞれのボックス部用凹部３１７は、上述したボックス部用開口３１３の上側部分と略同一の形状であり、ボックス部用開口３１３の上辺３１３Ｔに対応した上辺３１７Ｔと、その上辺３１７Ｔがその中央部において上方に向かって凹んだくぼみ３１７Ｘを有する形状となっている。
【００４１】
ここで、リテーナ３００の本体部３１０がリテーナ挿入スロット２５０からコア２２０の本体受容部２２８に挿入され、リテーナ３００が仮係止位置にあるとき、リテーナの下部アーム３３０はコア２２０のコア下面２２５と外殻２３０の外殻底面２３２の上面２３２ａとの間に位置しているため、本体部３１０の下面３１６は、コア下面２２５の上面２２５ｃに対向した状態となる。このとき、コア下面２２５の上面２２５ｃからボックス部用凹部３１７の上辺３１７Ｔまでの高さは、上述したボックス部用開口３１３の高さＨopeningと略等しく、また、コア下面２２５の上面２２５ｃからボックス部用凹部３１７のくぼみ３１７Ｘまでの高さは、上述したボックス部用開口３１３の底辺３１３Ｌからくぼみ３１３Ｘまでの高さＨmaxと略等しくなる。また、上記仮係止位置において、コア下面２２５の上面２２５ｃからリテーナ３００の本体部３１０の下面３１６までの高さは上述した移行部用開口３１４の高さＨminと略等しくなる。なお、本実施形態においては、コア下面２２５の上面２２５ｃには、端子１００のボックス部１１０の下部（つまり、左側板１１３の下部、右側板１１４の下部、および底板１１２）を受け入れる溝（図６、７参照）が形成されていてもよい。
【００４２】
次に、図５を参照して、防水シール４００について説明する。なお、図５は、本実施形態のコネクタ組立体１０の防水シール４００の斜視図である。防水シール４００は、外形がハウジング２００の外殻２３０を構成する外殻上面２３１、外殻底面２３２、外殻左側面２３３、外殻右側面２３４の内壁に接触し防水可能となる形状をしており、内部にハウジング２００のコア２２０が挿通される開口４０５を有する。防水シール４００は、弾性を有する材料で形成される。さらに、防水シール４００の外面４１０には、長さ方向Ｘと直交する方向（つまり幅方向Ｙおよび高さ方向Ｚ）に沿って複数の凸状部４１１が形成される。また、防水シール４００の内面４２０には、長さ方向Ｘと直交する方向（つまり幅方向Ｙおよび高さ方向Ｚ）に沿って複数の溝状部４２１が形成される。防水シール４００は、コネクタ組立体１０の組立時にハウジング２００の相手方挿入スロット２４０のスロット最奥部２４１に挿入される。
【００４３】
次に、コネクタ組立体１０の組み立て方法について説明する。図１に示すように、まず、防水シール４００を、相手方コネクタ挿入スロット２４０に、長さ方向Ｘと反対の向きに挿入し、防水シール４００をスロット最奥部２４１に配置する。このとき、防水シール４００の内面４２０に形成された複数の溝状部４２１により、防水シール４００はコア２２０の周囲に密着する。次いで、リテーナ３００を、ハウジング２００のリテーナ挿入スロット２５０に挿入し、端子１００をハウジング２００に装着する。
【００４４】
図６、７を参照して、リテーナ３００を、リテーナ挿入スロット２５０に挿入し、次いで端子１００を装着する方法について説明する。なお、図６（Ａ）は、本実施形態におけるコネクタ組立体１０の、リテーナ３００が仮係止位置にある場合の、図３（Ａ）におけるＹ−Ｚ平面で切断した断面図であり、図６（Ｂ）は、図６（Ａ）におけるＢ部分の部分拡大図であり、図６（Ｃ）は、本実施形態におけるコネクタ組立体１０の、リテーナ３００が仮係止位置にある場合の、正面図である。さらに、図７（Ａ）は、本実施形態におけるコネクタ組立体１０の、リテーナ３００が仮係止位置にあり、端子１００を装着した際の、図３（Ａ）におけるＸ−Ｚ平面で切断した場合の断面図であり、図７（Ｂ）は、本実施形態におけるコネクタ組立体１０の、リテーナ３００が仮係止位置にあり、端子１００を装着した際の、図３（Ａ）におけるＸ−Ｙ平面で切断した場合の断面図である。
【００４５】
図６（Ａ）、図６（Ｂ）に示すように、リテーナ３００を、リテーナ挿入スロット２５０に挿入すると、リテーナ３００の本体部３１０はコア２２０の本体受容部２２８に進入する。また、リテーナ３００の上部アーム３２０は、ハウジング２００の外殻上面２３１の下面２３１ａとコア２２０のコア上面２２４との間に挿入される。さらに、リテーナ３００の下部アーム３３０は、ハウジング２００の外殻底面２３２の上面２３２ａとコア２２０のコア下面２２５の間に挿入される。リテーナ３００をリテーナ挿入スロット２５０に挿入し、幅方向Ｙに移動させてゆくと、リテーナ３００の上部アーム３２０の上部係止突起３２２がコア２２０のコア上面２２４に形成された第１係止溝２２４ａに係止され、リテーナ３００の下部アーム３３０の下部係止突起３３２がコア２２０のコア下面２２５に形成された第１係止溝２２５ａに係止される。このとき、リテーナ３００は仮係止位置にある。
【００４６】
この仮係止位置のとき、リテーナ３００の本体部３１０に形成されたボックス部用開口３１３およびボックス部用凹部３１７は、ハウジング２００の圧着部収容路２１１およびボックス部用収容路２２１と長さ方向Ｘにおいて一直線上に位置が揃う。この仮係止位置のときに、圧着部１２０に導線１８０を圧着接続した端子１００を、ハウジング２００のベース２１０の端子挿入用開口２１３から圧着部収容路２１１に挿入する。圧着部収容路２１１の形状が端子１００のボックス部１１０の外形よりも大きい円形であるため、端子１００のボックス部１１０は、妨げられることなく圧着部収容路２１１を通過し、リテーナ３００の本体部３１０のボックス部用開口３１３またはボックス部用凹部３１７に達する。
【００４７】
このとき、端子１００が挿入軸（長さ方向Ｘ）を中心として適正な姿勢にあるとき、つまりボックス部１００の突起１１６が上方にあり、底板１１２が下方にある向きで挿入された場合、リテーナ３００の本体部３１０のボックス部用開口３１３の上辺３１３Ｔがボックス部１１０の上板１１１の上方に位置し、ボックス部用開口３１３のくぼみ３１３Ｘがボックス部１００の突起１１６の上方に位置するため、リテーナ３００のボックス部用開口３１３は、ボックス部１１０の長さ方向Ｘへの進入を許容する。次いで、端子１００を長さ方向Ｘに移動させると、ボックス部１１０は、コア２２０のボックス部収容路２２１に挿入され、ボックス部１１０の突起１１６は、ボックス部収容路２２１内に突出した係止片２２９に係止される（図７（Ａ））。つまり、端子１００は、圧着部収容路２１１からボックス部用開口３１３を経てボックス部収容路２２１に挿入可能となる。
【００４８】
同様に、端子１００が正しい向き、つまりボックス部１００の突起１１６が上方にあり、底板１１２が下方にある向きで下段に位置する圧着部収容路２１１に挿入された場合、リテーナ３００の本体部３１０のボックス部用凹部３１７の上辺３１７Ｔがボックス部１１０の上板１１１の上方に位置し、ボックス部用凹部３１７のくぼみ３１７Ｘがボックス部１００の突起１１６の上方に位置するため、リテーナ３００のボックス部用凹部３１７は、ボックス部１１０の長さ方向Ｘへの進入を許容する。次いで、端子１００を長さ方向Ｘに移動させると、ボックス部１１０は、コア２２０のボックス部収容路２２１に挿入され、ボックス部１１０の突起１１６は、ボックス部収容路２２１内に突出した係止片２２９に係止される（図７（Ａ））。
【００４９】
一方、端子１００が適正な位置から挿入軸（長さ方向Ｘと同一方向の軸）を中心として回転した状態で誤挿入された場合について、図８を参照して説明する。なお、図８（Ａ）は、本実施形態におけるコネクタ組立体１０の、リテーナ３００が仮係止位置にあり、端子１００が上下逆さまに挿入された場合の、図３（Ａ）におけるＹ−Ｚ平面で切断した断面図であり、図８（Ｂ）は、図８（Ａ）におけるＢ部分の部分拡大図である。リテーナ３００が仮係止位置の状態で、端子１００を上下逆さまに、つまり、ボックス部１００の突起１１６が下方にあり、底板１１２が上方となる向きで、ハウジング２００のベース２１０から圧着部収容路２１１に挿入する。すると、圧着部収容路２１１の形状は、端子１００のボックス部１１０の外形よりも大きい円形であるため、端子１００のボックス部１１０は、妨げられることなく圧着部収容路２１１を通過し、リテーナ３００の本体部３１０のボックス部用開口３１３またはボックス部用凹部３１７に達する。
【００５０】
しかしながら、この状態でさらに端子１００を長さ方向Ｘに移動させようとしても、端子１００のボックス部１１０の形状とリテーナ３００の本体部のボックス部用開口３１３の形状が対応していないため、上下逆さまになったボックス部１１０のボックス部用開口３１３への進入が阻止される。具体的には、端子１００のボックス部１１０の底板１１２の中央部を除く両側部分、および左側板１１３の下部（図８（Ｂ）では上側に位置している）、右側板１１４の下部（図８（Ｂ）では上側に位置している）の進入がボックス部用開口３１３の上辺３１３Ｔによって妨げられる。このとき、ボックス部１１０の突起１１６は、リテーナ３００のボックス部用開口３１３の底辺３１３Ｌの上面上に位置する。
【００５１】
また、仮にボックス部１１０の底板１１２がボックス部用開口３１３の上辺３１３Ｔの下方の位置の高さでボックス部用開口３１３に挿入されようとしても、ボックス部１１０全体がその分だけ下方に位置しており、結果として突起１１６がリテーナ３００の本体部３１０のボックス部用開口３１３の底辺３１３Ｌに阻まれ、ボックス部１１０の長さ方向Ｘへの進入が妨げられる。
【００５２】
同様に、端子１００が上下逆さまに下段に位置する圧着部収容路２１１に挿入され、リテーナ３００のボックス部用凹部３１７に達した場合、ボックス部１１０の形状と、リテーナ３００の本体部のボックス部用凹部３１７およびコア２２０のコア下面２２５の上面２２５ｃによって形成される形状とが対応していないため、上下逆さまになったボックス部１１０のボックス部用凹部３１７への進入が阻止される。具体的には、端子１００のボックス部１１０の底板１１２の中央部を除く両側部分、および左側板１１３の下部、右側板１１４の下部のボックス部用凹部３１７への進入がボックス部用凹部３１７の上辺３１７Ｔによって妨げられる。このとき、ボックス部１１０の突起１１６は、コア２２０のコア下面２２５の上面２２５ｃの上面上に位置する。
【００５３】
また、仮にボックス部１１０の底板１１２がボックス部用凹部３１７の上辺３１７Ｔの下方の位置の高さでボックス部用開口３１７に挿入されようとしても、ボックス部１１０はその分だけ下方に位置しており、結果として突起１１６がコア２２０のコア下面２２５の上面２２５ｃに阻まれ、ボックス部１１０の長さ方向Ｘへの進入が妨げられる。
【００５４】
なお、上記の説明においては端子１００が上下逆さまに、つまり１８０度回転した状態で圧着部収容部２１１に挿入され、次いでリテーナ３００のボックス部用開口３１３、ボックス部用凹部３１７に達した場合に、端子１００の誤挿入を防止する場合を説明したが、本発明においては、端子１００が端子１００の挿入軸を中心に１８０度以外の角度、例えば９０度回転した状態で誤挿入された場合にも、端子１００のボックス部１１０とリテーナ３００のボックス部用開口３１３、ボックス部用凹部３１７との形状の不一致が生じ、ボックス部１１０のボックス部用開口３１３、ボックス部用凹部３１７への挿通が阻止される。
【００５５】
端子１００のボックス部１１０が、正しい向きでリテーナ３００のボックス部用開口３１３およびボックス部用凹部３１７を通過し、ボックス部収容路２２１に収容されると、移行部１３０がボックス部用開口３１３の下部およびボックス部用凹部３１７の下方部分に位置する。これにより、リテーナ３００を幅方向Ｙにさらに移動させることが可能となる。ボックス部１１０がボックス部収容路２２１に完全に収容されていない場合、ボックス部１１０の左側板１１３がボックス部用開口３１３およびボックス部用凹部３１７内に存在しており、このときにリテーナ３００を幅方向Ｙに移動させようとしても、ボックス部１１０の左側板１１３により幅方向Ｙへの移動が阻まれる。これにより、端子１００の半挿入の検知、つまり、端子１００が完全にボックス部収容路２２１に収容されていないことを検知することが可能となる。
【００５６】
端子１００のボックス部１１０をボックス部収容路２２１に完全に挿入すると、リテーナ３００の幅方向Ｙへの移動が可能となる。リテーナ３００を幅方向Ｙへさらに移動させると、リテーナ３００の上部アーム３２０の上部係止突起３２２がコア２２０のコア上面２２４に形成された第１係止溝２２４ａから外れて幅方向Ｙへ移動し、第２係止溝２２４ｂに係止される。同様に、リテーナ３００の下部アーム３３０の下部係止突起３３２がコア２２０のコア下面２２５に形成された第１係止溝２２５ａから外れて幅方向Ｙへ移動し、第２係止溝２２５ｂに係止される。このときリテーナ３００は、本係止位置となる。
【００５７】
リテーナ３００が本係止位置にあるときのコネクタ組立体１０の、図３（Ａ）のＸ−Ｚ平面における断面図を図９（Ａ）に示し、図３（Ｂ）のＸ−Ｙ平面における断面図を図９（Ｂ）に示す。図７において説明したのと同様に、端子１００のボックス部１１０は、コア２２０のボックス部収容路２２１に収容されている。また、端子１００の圧着部１２０は、ベース２１０およびコア２２０の後部に形成された圧着部収容路２１１に収容されている。さらに、端子１００の圧着部１２０の導体把持部１２２の一部と移行部１３０はリテーナ３００の移行部用開口３１４、あるいはボックス部用凹部３１７に隣接した本体部３１０の下面３１６の下方に収容される。
【００５８】
図２（Ｆ）、図３（Ｂ）、図４（Ｂ）、図４（Ｄ）、図９（Ａ）に示すように、移行部用開口３１４の高さＨminは、端子１００のボックス部１１０の高さＨboxよりも小さいため、リテーナ３００の本体部３１０の前面３１９が端子１００のボックス部１１０の後端面１１８と接触している。また、コア下面２２５の上面２２５ｃからリテーナ３００の、ボックス部用凹部３１７に隣接した本体部３１０の下面３１６までの高さ（コア上面２２４の、本体受容部２２８における下面２２４ｃと、コア下面２２５の上面２２５ｃとの間の距離Ｈcoreからリテーナ３００の本体部３１０の高さＨbodyを引いた距離）は、端子１００のボックス部１１０の高さＨboxよりも小さいため、リテーナ３００の本体部３１０の前面３１９が端子１００のボックス部１１０の後端面１１８と接触している。すなわち、リテーナ３００が本係止位置にあるとき、端子１００の移行部１３０がリテーナ３００の移行部用開口３１４に収容されているため、この状態で端子１００を長さ方向Ｘと反対方向に引き抜こうとしても、リテーナ３００の本体部３１０の前面３１９にボックス部１１０の後端面１１８が当接することにより、ボックス部１１０の後方への移動が阻止され、当該ボックス部１１０を抜去することができない状態となる。これにより端子１００のハウジング２００からの脱落が防止される。
【００５９】
なお、上記の実施形態においては、端子１００のボックス部１１０の形状が、略長方形であり、上板１１１の上面に上方に向けて突出する突起１１６が設けられ、上板１１１に対向する底板１１２の下面１１２ａが平坦な形状である場合について説明した。さらに、リテーナ３００の本体部３１０に形成されたボックス部用開口３１３が、ボックス部１１０の形状に対応して上辺３１３Ｔがその中央部において上方に向かって凹んだくぼみ３１３Ｘを有する形状であるのに対し、その底辺３１３Ｌが平坦形状である場合について説明した。しかしながら、本発明は、上記の実施形態に限定されず、ボックス部１１０を構成する一つの面に外側に向けて突出する突起が設けられるのに対し、当該突起が設けられた面に対向する面は平坦な形状とされ、リテーナのボックス部用開口に、当該開口の一方側が突起を受容する凹形状であり、当該一方の側に対向する側が平坦面とされるような形状であってもよい。
【００６０】
さらに、端子のボックス部の断面形状が少なくとも一部分において上下または左右非対称形状であり、リテーナが、上下または左右非対称形状のボックスの断面外形状に対応した形状のボックス部用開口と、リテーナの挿入方向に直交する方向の大きさがボックス部用開口の大きさよりも小さいボックス部用開口に連通する移行部用開口とを備えていれば、いずれの形状のものであっても採用することが可能である。
【００６１】
例えば、図１０は、上記実施形態とは異なる他の断面外形状のボックス部を有する端子と、それを受け入れるリテーナのボックス部用開口の例を示している。図１０（Ａ）に示す端子のボックス部１１０Ａの断面外形状は略長方形であり、その上面１１１Ａの中央部分には下方に向かって凹んだくぼみ１１６Ａが形成されている。なお、このくぼみ１１６Ａはボックス部１１０Ａの長さ方向Ｘ全体にわたって形成されている。このボックス部１１０Ａの外形状に対応して、リテーナ３００Ａのボックス部用開口３１３Ａには、上辺３１３ＡＴの中央に下方に向かって突出した突起３１３ＡＸが形成されている。
【００６２】
図１０（Ａ）に示すように、端子のボックス部１１０Ａが正しい向きでハウジング２００に挿入された場合、仮挿入位置にあるリテーナ３００Ａのボックス部用開口３１３Ａは、ボックス部１１０Ａの通過を許容し、ここを通過したボックス部１１０Ａはハウジング２００のコア２２０に形成されたボックス部収容路２２１に挿入される。
【００６３】
一方、図１０（Ｂ）に示すように、端子のボックス部１１０Ａが正しくない向き、例えばボックス部１１０Ａが上下逆さまにハウジング２００に挿入された場合、ボックス部１１０Ａの底板１１２Ａが、仮挿入位置にあるリテーナ３００Ａのボックス部用開口３１３Ａに設けられた突起３１３ＡＸに当接し、ボックス部１１０Ａをそれ以上長さ方向Ｘに移動させることができなくなり、端子の正しくない向きでの誤挿入が阻止される。
【００６４】
上記実施形態、および上記図１０（Ａ）、図１０（Ｂ）の端子のボックス部１１０、１１０Ａの形状は、上下非対称であったが、本発明の端子のボックス部の形状は、左右非対称形状であってもよい。例えば、図１０（Ｃ）に示す端子のボックス部１１０Ｃの断面形状は、図１０（Ａ）と同様に略長方形であり、その左側板１１３Ｃの下部に外側（幅方向Ｙと反対方向）に向けて突出した突起１１６Ｃが形成されている。リテーナ３００Ｃのボックス部用開口３１３Ｃの上部は、ボックス部１１０Ｃ上部の形状に対応した矩形状となっており、ボックス部用開口３１３Ｃの下部は隣接する移行部用開口３１４Ｃに連通している。
【００６５】
図１０（Ｃ）に示すように、端子のボックス部１１０Ｃが正しい向きでハウジング２００に挿入された場合、仮挿入位置にあるリテーナ３００Ｃのボックス部用開口３１３Ｃおよび移行部用開口３１４Ｃは、ボックス部１１０Ｃおよび突起１１６Ｃの通過を許容し、ここを通過したボックス部１１０Ｃはハウジング２００のコア２２０に形成されたボックス部収容路２２１に挿入される。
【００６６】
一方、図１０（Ｄ）に示すように、端子のボックス部１１０Ｃが正しくない向き、例えばボックス部１１０Ｃが左右逆さま（端子の挿入軸を中心に１８０度回転した状態）にハウジング２００に挿入された場合、ボックス部１１０Ｃの左側板１１３Ｃに形成された突起１１６Ｃが、仮挿入位置にあるリテーナ３００Ｃのボックス部用開口３１３Ｃを形成している壁面（右側壁３１３ＣＬ）に当接し、ボックス部１１０Ｃをそれ以上長さ方向Ｘに移動させることができなくなり、端子の正しくない向きでの誤挿入が阻止される。
【００６７】
図１０（Ｅ）に示す端子のボックス部１１０Ｅの断面形状は、図１０（Ｃ）と同様に略長方形であり、右側板１１４Ｅの中央に内側に向かって凹んだくぼみ１１６Ｅが形成されている。なお、このくぼみ１１６Ｅはボックス部１１０Ｅの長さ方向Ｘ全体にわたって形成されている。このボックス部１１０Ｅの外形状に対応して、リテーナ３００Ｅのボックス部用開口部３１３Ｅには、ボックス部用開口３１３Ｅを形成している右側壁３１３ＥＬに左方向に向けて突出した突起３１３ＥＸが形成されている。
【００６８】
図１０（Ｅ）に示すように、端子のボックス部１１０Ｅが正しい向きでハウジング２００に挿入された場合、仮挿入位置にあるリテーナ３００Ｅのボックス部用開口３１３Ｅは、ボックス部１１０Ｅの通過を許容し、ここを通過したボックス部１１０Ｅはハウジング２００のコア２２０に形成されたボックス部収容路２２１に挿入される。
【００６９】
一方、図１０（Ｆ）に示すように、端子のボックス部１１０Ｅが正しくない向き、例えば、ボックス部１１０Ｅが左右逆さま（端子の挿入軸を中心に１８０度回転した状態）にハウジング２００に挿入された場合、ボックス部１１０Ｅの左側板１１３Ｅが、仮挿入位置にあるリテーナ３００Ｅのボックス部用開口３１３Ｅを形成している右側壁３１３ＥＬの突起３１３ＥＸに当接し、ボックス部１１０Ｅをそれ以上長さ方向Ｘに移動させることができなくなり、端子の正しくない向きでの誤挿入が阻止される。
【００７０】
なお、上記の例においては、リテーナ３００、３００Ａ、３００Ｃ、３００Ｅの本体部には、上側に３つのボックス部用開口（例えば３１３）が形成され、本体部の下面３１６のボックス部用凹部３１７が形成された例について説明した。しかしながら、本発明は上記の例に限定されず、リテーナ３００の本体部に、リテーナ３００の挿入方向に対して直交する方向（つまり高さ方向Ｚ）に、上述したボックス部用開口３１３および移行部用開口が、ハウジング２００のベース２１０およびコア２２０に形成された、リテーナ３００の挿入方向に対して直交する方向（つまり高さ方向Ｚ）における圧着部収容路２１１およびボックス部収容路２２１の数と同数形成されるようにし、リテーナ３００の下面３１６にボックス部用凹部を備えていない構成であってもよい。
【００７１】
また、上記の例においては、リテーナ３００が、幅方向Ｙにハウジング２００のリテーナ挿入スロット２５０に挿入される構成について説明したが、ハウジング２００のリテーナ挿入スロット２５０をハウジング２００の外殻右側面２３４に形成し、リテーナ３００をハウジング２００の右側から幅方向Ｙと反対方向にリテーナ挿入スロットに挿入するようにしてもよいし、リテーナ挿入スロット２５０をハウジング２００の外殻上面２３１、あるいは外殻底面２３２のいずれかに形成し、リテーナ３００をハウジング２００の上方から、あるいは下方のいずれかからリテーナ挿入スロットに挿入するような構成としてもよい。
【００７２】
また、上記の例においては、ハウジング２００のコア２２０に第１係止溝２２４ａ、２２５ａおよび第２係止溝２２４ｂ、２２５ｂが形成され、これに対向してリテーナ３００の上部アーム３２０に上部係止突起３２２、およびリテーナ３００の下部アーム３３０に下部係止突起３３２が形成された例を説明したが、リテーナ３００の上部アーム３２０および下部アーム３３０に第１係止溝および第２係止溝をそれぞれ形成し、これに対向してハウジング２００のコア２２０または外殻２３０の外殻上面２３１および外殻底面２３２に係止突起を形成してもよい。そして係止突起が第１係止溝に係止された際に、リテーナ３００は仮係止位置をとり、係止突起が第２係止溝に係止された際に、リテーナ３００が本係止位置をとるようにしてもよい。
【符号の説明】
【００７３】
１０    コネクタ組立体
１００    端子
１１０    ボックス部
１１１    上板
１１２    底板
１１３    左側板
１１４    右側板
１１５    コンタクト挿入孔
１１６    突起
１１７    接触片
１１８    後端面
１２０    圧着部
１２１    被覆把持部
１２２    導体把持部
１２２ａ    底板
１２２ｂ、１２２ｃ    把持片
１３０    移行部
１３２    左側面
１３３    右側面
１８０    導体
１９０    導体用防水シール
２００    ハウジング
２１０    ベース
２１１    圧着部収容路
２１２    後端面
２１３    端子挿入開口
２２０    コア
２２１    ボックス部収容路
２２２    前端面
２２３    オス端子挿入開口
２２４    コア上面
２２４ａ    第１係止溝
２２４ｂ    第２係止溝
２２４ｃ    下面
２２５    コア下面
２２５ａ    第１係止溝
２２５ｂ    第２係止溝
２２５ｃ    上面
２２６    コア左面
２２７    コア右面
２２８    本体受容部
２３０    外殻
２３１    外殻上面
２３１ａ    下面
２３２    外殻底面
２３２ａ    上面
２３３    外殻左側面
２３４    外殻右側面
２４０    相手方コネクタ挿入スロット
２４１    スロット最奥部
２５０    リテーナ挿入スロット
３００    リテーナ
３１０    本体部
３１１    左側端部
３１２    右側端部
３１３（３１３ａ、３１３ｂ、３１３ｃ）    ボックス部用開口
３１４（３１４ａ、３１４ｂ、３１４ｃ）    移行部用開口
３１５    上面
３１６    下面
３１７（３１７ａ、３１７ｂ、３１７ｃ）    ボックス部用凹部
３１９    前面
３２０    上部アーム
３２１    上部アーム下面
３２２    上部係止突起
３３０    下部アーム
４００    防水シール
４０５    開口
４１０    外面
４１１    突状部
４２０    内面
４２１    溝状部
【図１】
2019145275.tif 000003
【図２】
2019145275.tif 000004
【図３】
2019145275.tif 000005
【図４】
2019145275.tif 000006
【図５】
2019145275.tif 000007
【図６】
2019145275.tif 000008
【図７】
2019145275.tif 000009
【図８】
2019145275.tif 000010
【図９】
2019145275.tif 000011
【図１０】
2019145275.tif 000012